(57)【要約】【課題】先天色覚異常のユーザがより簡単に、視覚的な操作で見えやすい表示及び／または出力へ移行することができる画像処理技術を提供する。【解決手段】電子ペーパを使用したディスプレイを有する画像処理装置において、色覚型の選択肢を提示する待機画面を前記ディスプレイ上に表示し、前記色覚型の選択結果に基づいて前記ディスプレイ上の表示を制御する制御部と、前記色覚型の選択結果に基づいて画像データを補正する補正部と、を有する。【選択図】図５
2017167291.tif 000002
【特許請求の範囲】
【請求項１】
電子ペーパを使用したディスプレイを有する画像処理装置において、
色覚型の選択肢を提示する待機画面を前記ディスプレイに表示し、前記色覚型の選択結果に基づいて前記ディスプレイ上の表示を制御する制御部と、
前記色覚型の選択結果に基づいて画像データを補正する補正部と、
を有することを特徴とする画像処理装置。
【請求項２】
前記待機画面における前記選択肢は、複数の色覚型ボタンと、不明ボタンを含み、
前記制御部は、前記不明ボタンが選択されたときに、前記ディスプレイ上に視覚型の確認または絞り込みのための第１の絞り込み画面を表示させることを特徴とする請求項１に記載の画像処理装置。
【請求項３】
前記第１の絞り込み画面は、２つの異なる色を組み合わせた対比表示エリアと、２つの色が同じ色に見える組を選択するように指示するメッセージとを含み、
前記制御部は、前記第１の絞り込み画面での選択結果に基づいて、ユーザの色覚型を決定し、または前記ディスプレイ上の表示を第２の絞り込み画面に移行させることを特徴とする請求項２に記載の画像処理装置。
【請求項４】
前記第１の絞り込み画面の前記対比表示エリアは、
健常者と比較して赤色に対する感度の低い第１型のユーザが誤認しやすい２色を組み合わせて対比表示する第１表示エリアと、
健常者と比較して緑色に対する感度の低い第２型のユーザが誤認しやすい２色を組み合わせて対比表示する第２表示エリアと、
前記第１型と第２型以外の先天色覚異常のユーザが誤認しやすい２色を組み合わせて対比表示する第３表示エリアと、
を含むことを特徴とする請求項３に記載の画像処理装置。
【請求項５】
前記制御部は、前記第１の絞り込み画面で前記第３表示エリアが選択された場合に、前記ディスプレイ上の表示を前記第２の絞り込み画面に移行させることを特徴とする請求項４に記載の画像処理装置。
【請求項６】
前記待機画面における前記選択肢は、複数の色覚型ボタンと、不明ボタンを含み、
前記補正部は、前記待機画面で前記色覚型ボタンが選択されたときに、選択された色覚型に適した補正を前記画像データに施すことを特徴とする請求項１に記載の画像処理装置。
【請求項７】
前記色覚型ごとに、誤認しやすい色の組み合わせと、変換後の色の組み合わせとを対応付けて記録する補正テーブル、
をさらに有し、
前記補正部は、前記補正テーブルを参照して、前記色覚型の選択結果に基づいて画像データを補正することを特徴とする請求項１に記載の画像処理装置。
【請求項８】
前記制御部は、補正後の画像データを前記ディスプレイに表示させることを特徴とする請求項６または７に記載の画像処理装置。
【請求項９】
電子ペーパを使用したディスプレイを有する画像処理装置において、
プロセッサにより、
色覚型の選択肢を提示する待機画面を前記ディスプレイに表示し、
前記色覚型の選択結果に基づいて前記ディスプレイ上の表示を制御し、
前記色覚型の選択結果に基づいて画像データを補正する、
ことを特徴とする画像処理方法。
【請求項１０】
電子ペーパを使用したディスプレイを有する画像処理装置のプロセッサに、
色覚型の選択肢を提示する待機画面を前記ディスプレイ上に表示させる手順と、
前記色覚型の選択結果に基づいて前記ディスプレイ上の表示を制御する手順と、
前記色覚型の選択結果に基づいて画像データを補正させる手順と、
を実行させる画像処理プログラム。
【発明の詳細な説明】
【技術分野】
【０００１】
本発明は、広くは画像処理の技術に関し、特に、表示部に電子ペーパを用いた画像処理装置で先天色覚異常のユーザにとって見えやすい表示及び／または出力を行う技術に関する。
【背景技術】
【０００２】
複写機やプリンタ等の画像処理装置では、操作部のディスプレイに液晶ディスプレイを使用するのが一般的である。しかし、液晶ディスプレイ上に表示される画像の色合いと、実際に出力された印刷物の色合いが異なる場合がある。液晶表示とプリンタ出力では、発色方法（色の表現方法）が異なるためである。液晶ディスプレイの発色プロセスは加法混色（赤、青、緑）であるのに対し、複写機やプリンタ等の出力の発色プロセスは減法混色（イエロー、シアン、マゼンタ）である。
【０００３】
このような事情から、操作表示部に電子ペーパを用い、先天色覚異常のユーザに対応可能な画像処理装置が提案されている（たとえば、特許文献１参照）。電子ペーパの発色プロセスは、プリンタ出力と同じ減法発色（イエロー、シアン、マゼンタ）であり、表示部に表示された画像の色合いは、実際に出力された印刷物の色合いに近いものとなる。
【発明の概要】
【発明が解決しようとする課題】
【０００４】
上述した公知の技術では、電子ペーパのディスプレイで印刷物の内容をプレビューする際に、先天色覚異常のユーザは先天色覚異常者用の設定画面を選択し、見えにくい色を見えやすい色に調整することができる。しかし、ユーザは自らディスプレイを見ながら、ボタン操作を行って見えやすい表示に移行する処理を行う。見えやすい表示に移行するための操作処理自体が、見えにくい表示状態で行われるという問題がある。
【０００５】
そこで、本発明は電子ペーパディスプレイを備えた画像処理装置で、先天色覚異常のユーザが、より簡単に視覚的な操作で見えやすい表示及び／または出力へ移行することのできる画像処理技術を提供することを目的とする。
【課題を解決するための手段】
【０００６】
上記問題を解決するために、電子ペーパディスプレイの待機画面に先天色覚異常のユーザ向けの選択肢を用意しておき、ユーザによる選択に従って見えやすい表示及び／または出力に自動的に移行する。
【０００７】
具体的には、本発明の一つの態様では、電子ペーパを使用したディスプレイを有する画像処理装置において、
色覚型の選択肢を提示する待機画面を前記ディスプレイ上に表示し、前記色覚型の選択結果に基づいて前記ディスプレイ上の表示を制御する制御部と、
前記色覚型の選択結果に基づいて画像データを補正する補正部と、
を有することを特徴とする
【発明の効果】
【０００８】
上記構成により、先天色覚異常のユーザがより簡単に、視覚的な操作で見えやすい表示及び／または出力へ移行することができる。
【図面の簡単な説明】
【０００９】
【図１】実施形態の画像処理技術が適用される画像処理装置の概略図である。
【図２】画像処理装置のうち、電子ペーパディスプレイに関連する部分の基本的なハードウェア構成例を示す図である。
【図３】ＳｏＣの基本動作を示すフローチャートである。
【図４】電子ペーパディスプレイの待機画面を示す図である。
【図５】「不明」ボタンが選択されたときの画面遷移を示す図である。
【図６】色覚型ごとの色の見え方を説明する図である。
【図７】画像処理装置の動作のフローチャートである。
【図８】画像処理装置の動作のフローチャートであり、図８のＡ点から続く動作である。
【図９】色補正の一例を示すフローチャートである。
【図１０】補正テーブルの一例を示す図である。
【図１１】画像処理装置の機能ブロック図である。
【図１２】画像処理装置のハードウエア構成例を示す図である。
【発明を実施するための形態】
【００１０】
以下、図面を参照して本発明の実施の形態を説明する。図１は、本発明の画像処理技術が適応される画像処理装置１の概略図である。画像処理装置１は、たとえばコピー機能、プリンタ機能、ファクシミリ機能、スキャナ機能等を有するデジタルフルカラー複合機である。画像処理装置１は、操作パネル５上に電子ペーパディスプレイ１０を有する。電子ペーパディスプレイ１０で表示媒体として使用される電子ペーパは、光源を持たず紙のように目に優しい表示が可能である。また、表示保持のための電力消費を必要としない。電子ペーパの発色プロセスは、印刷プロセスを同じ減法混色（イエロー、シアン、マゼンタ）であり、電子ペーパディスプレイ１０に表示される画像の色合いと、実際に出力される画像の色合いが近いものになる。
【００１１】
実施形態では、電子ペーパの利点のひとつである「表示保持時の消費電力を必要としない」ことを利用して、待機画面に先天色覚異常のユーザ向けの選択肢を用意しておく。先天色覚異常には、先天的に赤、緑、青の中の２色だけを感知する２色覚（旧呼称の「色盲」）、１色だけを感知する１色覚（旧呼称の「全色盲」）、２色を正常に感知し残りの１色について色覚異常がある異常３色覚（旧呼称の「色弱」）などがある。先天色覚異常のユーザは、待機画面の選択肢を選択することで、簡単に見えやすい表示に移行し、あるいは見えやすい印刷出力を得ることができる。待機画面での選択肢の選択は視覚的な操作でありながら、実施形態では先天色覚異常のユーザにとって視覚的処理の負担はほとんどない。この操作の詳細については後述する。
【００１２】
用いる電子ペーパの種類は問わず、エレクトロクロミック方式、エレクトロウェッティング方式など、減法混色による発色プロセスを行う任意の電子ペーパを用いることができる。いずれの方式でも、マゼンタ（Ｍ）、イエロー（Ｙ）、シアン（Ｃ）の各発色材料を封止した３つの発色層を用い、電圧印加により各層を発色状態と透明状態に切り換えることでカラー表示を行う。電子ペーパの構造自体は本発明と直接関係がないので、その説明は省略する。
【００１３】
以下の説明では、電子ペーパディスプレイ１０を用いて先天色覚異常のユーザにとって見やすい表示と出力を行う技術について説明するが、電子ペーパディスプレイ１０は通常のユーザにとっても見やすい。また、図１では、電子ペーパディスプレイ１０は本体のフロント部分に設けられた操作パネル５に配置されているが、これに限られず、別途サブパネルを設けて電子ペーパディスプレイをサブパネルに配置してもよい。また、画像処理装置１は複合機に限定されず、後述する多様な機器に適用可能である。画像処理装置１は、有線または無線のネットワーク６０を介して他の電子機器５０と接続されていてもよい。
【００１４】
図１（ｂ）に示すように、操作パネル５には、電子ペーパディスプレイ１０の他に、操作部６やメニューボタン７が配置されている。操作部６は、テンキーの他にリセットボタン、割り込みボタン、ログイン／ログアウトボタン、省エネボタン等を含む。画像処理装置１を利用するユーザは、操作部６を操作し、あるいは電子ペーパディスプレイ１０上の画面をタッチして、画像処理装置１を所望の状態に移行させ、所望の動作を行わせることができる。
【００１５】
図２は、画像処理装置１の電子ペーパディスプレイ１０と、これに関連する部分のハードウェア構成図である。画像処理装置１は、たとえば本体の内部に制御ボード２００を有し、電子ペーパディスプレイ１０と制御ボード２００が信号伝送路で接続されている。制御ボード２００上に、ＳｏＣ（System on Chip）２０１とＲＯＭ（Read Only Memory）２０２が搭載されている。ＳｏＣ２０１はプロセッサコア、メモリコア、インタフェースコア等、多数のコアを含み、電子ペーパディスプレイ１０の動作一般を制御する。制御ボード２００は電子ペーパディスプレイ１０だけではなく、画像処理装置１の動作全般の制御に用いられてもよい。プロセッサ機能を果たすデバイスとして、ＳｏＣ２０１に替えて、ＳｉＰ（System in Package）を用いてもよい。
【００１６】
図３は、ＳｏＣ２０１の基本動作のフローチャートである。ユーザが電子ペーパディスプレイ１０上の特定の表示画面をタッチすると、ＳｏＣ２０１は図示しないセンサからの出力によって、表示画面に対するタッチまたは押下を検知する（Ｓ１１）。ＳｏＣ２０１はＲＯＭ２０２に、表示画面のタッチまたは押下に応じたコマンド送付を要求する（Ｓ１２）。ＳｏＣ２０１はＲＯＭ２０２からコマンドを受領すると（Ｓ１３）、コマンドしたがって電子ペーパディスプレイ１０の表示画面を切り替える（Ｓ１４）。
【００１７】
ＳｏＣ２０１は、ユーザ操作に応じて、電子ペーパディスプレイ１０の画面に印刷プレビューを表示させることもできる。この場合、電子ペーパディスプレイ１０の発色プロセスと、実際のプリント動作の発色プロセスが同じであり、ユーザの認識と近い印刷物を得ることができる。
【００１８】
図４は、電子ペーパディスプレイ１０の待機画面を示す。待機画面には、先天色覚異常のユーザに色覚型を選択させる選択ボタン１１〜１５と、通常のユーザ（健常者）が画像処理装置１の操作画面に移行する際に用いる「省エネモード解除」ボタン１７が表示されている。この待機画面の保持に電力消費は不要である。
【００１９】
先天色覚異常のユーザは、自分の色覚型がわかっている場合は、選択ボタン１１〜１５のうち、「Ｐ型」ボタン１２、「Ｄ型」ボタン１２、「Ｔ型」ボタン１４、「Ａ型」ボタン１５のいずれかを選択する。これらの選択ボタン１２〜１５をまとめて「色覚ボタン」と称する。色覚型の概要については後述する。自分の色覚型がわからない場合は、「不明」ボタン１１を選択する。通常のユーザは、「省エネモード解除」ボタン１７を選択することで、画像処理装置１の操作画面に移行することができる。
【００２０】
図５は、「不明」ボタン１１が選択されたときの、画面遷移を示す。図５（Ａ）で、待機画面Ａで、「不明」ボタン１１が選択されると、図５（Ｂ）の表示画面Ｂに移行する。表示画面Ｂでは、先天色覚異常のユーザが画面を見ることで、自分の色覚を選択または絞り込むことができる。電子ペーパディスプレイ１０の画面表示は、画像処理装置１の出力カラー表示と同じ減法混色のプロセスで形成されているので、表示画面Ｂ上での視覚的な認識と、実際の印刷物上での視覚的な認識はほぼ同じである。
【００２１】
「Ｐ型」のブロックでは、赤色が表示されるエリア（選択肢［１］）と、茶色が表示されるエリア（選択肢［２］）が隣り合って配置され、赤色と茶色が対比表示される。赤色と茶色が同じように見える場合、ユーザの色覚はＰ型である。この場合、ユーザは表示画面Ｂで「Ｐ型」を選択する。
【００２２】
「Ｄ型」のブロックでは、赤色が表示されるエリア（選択肢［１］）と、金色が表示されるエリア（選択肢［２］）が隣り合って配置され、赤色と金色が対比表示される。赤色と金色が同じように見える場合、ユーザの色覚はＤ型である。この場合、ユーザは表示画面Ｂで「Ｄ型」を選択する。
【００２３】
「Ｔ型orＡ型」ブロックでは、黄色が表示されるエリア（選択肢［１］）と、白色が表示されるエリア（選択肢［２］）が隣り合って配置され、黄色と白が対比表示される。黄色と白色が同じように見える場合は、ユーザの色覚はＴ型もしくはＡ型である。この場合ユーザは表示画面Ｂで「Ｔ型orＡ型」を選択する。
【００２４】
図５（Ｂ）の表示画面Ｂで「Ｔ型orＡ型」が選択された場合、電子ペーパディスプレイ１０は、図５（Ｃ）の表示画面Ｃに移行する。表示画面Ｃにおいて、「Ｔ型」のブロックでは、赤色が表示されるエリア（選択肢［１］）と、赤紫が表示されるエリア（選択肢［２］）が隣り合って配置され、赤色と赤紫が対比表示される。赤と赤紫が同じに見える場合はユーザの色覚はＴ型となる。Ｔ型の場合、赤色と灰色を明確に区別できるが、赤（朱色）と赤紫の区別がつきにくい。この場合、ユーザは表示画面Ｃで「Ｔ型」を選択する。
【００２５】
「Ａ型」のブロックでは、赤色が表示されたエリア（選択肢［１］）と、灰色が表示されたエリア（選択肢［２］）が隣り合って配置され、赤色と灰色が対比表示される。赤色と灰色が同じに見える場合、ユーザの色覚はＡ型である。この場合、ユーザは表示画面Ｃで「Ａ型」を選択する。
【００２６】
ユーザは、表示画面Ｂ及びＣにおいて、自己の色覚型を確認または絞り込むことができる。この意味で、表示画面Ｂと表示画面Ｃを「色覚確認／絞り込み画面」と呼ぶことができる。
【００２７】
表示画面Ａ〜Ｃのいずれかで色覚型が選択されると、ＳｏＣ２０１はユーザの色覚型に応じて色補正を行って、電子ペーパディスプレイ１０上に画像表示、及び／または印刷出力する。ユーザはそれ以上画面上で視覚的な選択や調整を行う必要がない。また、先天色覚異常であるユーザを個別に事前登録しておく必要がないないので、不特定多数のユーザが画像処理装置１を使用する環境でも、先天色覚異常のユーザに対応することができる。
【００２８】
図６は、色覚型ごとの色の見え方を説明する図である。この図は、ＮＰＯ法人北海道カラーユニバーサルデザイン機構のホームページからの抜粋である（http://www.cudo.jp/colorud/color_vision/peculiar_color_vision_types）。色覚型ごとに色の見え方には特徴がある。人間の網膜の視細胞うち、明るいところで働く錐体には、スペクトル感度に応じてＬ錐体（黄色〜赤の光を主に感じる）、Ｍ錐体（青緑〜黄緑の光を主に感じる）、Ｓ錐体（紫〜青の光を主に感じる）の３つがある。３種類の錐体がすべてそろっている場合がＣ型（一般型）の色覚で、健常者である。日本人男性の９５％はＣ型である。
【００２９】
Ｐ型色覚は、３つの錐体のうち、赤い光を感じるＬ錯体が欠けている人であり、第１型の２色覚とも呼ばれる。Ｐ型強度の場合（Ｌ錐体がない人）、約５５０ｍｍ〜７００ｍｍ付近の橙〜赤が黄土色から焦げ茶色として認識される。また、緑色が薄い黄土色として認識され、赤と緑の区別が困難である。
【００３０】
Ｄ型色覚は、緑の光を感じるＭ錐体が欠けている人であり、第２型の２色覚とも呼ばれる。Ｄ型強度の場合（Ｍ錐体がない人）、赤色が金色として認識される。また、緑色が薄い黄土色をして認識され、やはり赤と緑の区別が困難である。
【００３１】
Ｔ型色覚は、青の光を感じるＳ錐体のない人であり、第３型の２色覚とも呼ばれる。Ｔ型の場合、黄色が白色または薄いピンク色として認識される。また、青色に対する感度が欠如するため、朱色と赤紫が同じような色に見える。
【００３２】
Ａ型色覚は、３種類の錐体のうち１種類しか持たない場合、または錐体がなく暗いところで働く杆体だけを有する人であり、色を明暗でしか感じることができない。Ａ型色覚は赤色と灰色の区別がつきにくいが、赤色（朱色）と赤紫は灰色の濃淡として区別することができる。
【００３３】
先天色覚異常のユーザにとって、画像の中にカラー文字やハイライトで強調されたテキストや、カラーチャート（円グラフ、分布図など）などが含まれていると、内容を誤まって認識してしまう可能性がある。また、カラーのイラストや写真を含む画像でも、色の境界を認識できない場合がある。
【００３４】
そこで、実施形態では特定された色覚型に応じて、画像データを自動補正し、先天色覚異常のユーザにとって見やすい表示と出力を提供する。先天色覚異常のユーザは自分の色覚型または視認状態を選択するだけでよく、電子ペーパディスプレイ１０上で自ら色調整を行う必要はない。
【００３５】
図７及び図８は、画像処理装置１の動作のフローチャートである。この処理は、ＳｏＣ２０１によって行われる。まず、電子ペーパディスプレイ１０の表示画面を図４の待機画面にしておく（Ｓ１０１）。待機画面上で色覚型の選択が検出されたか否かを判断する（Ｓ１０２）。色覚型の選択が検出されない場合は（Ｓ１０２でＮＯ）、「省エネモード解除」ボタン１７が選択されたか否かを判断する（Ｓ１０３）。「省エネモード解除」ボタン１７が選択されていない場合は、Ｓ１０１の待機画面に戻る。「省エネモード解除」ボタン１７が選択された場合は（Ｓ１０３でＹＥＳ）、電子ペーパディスプレイ１０上に操作画面を表示する（Ｓ１０４）。特に図示はしないが、操作画面には、機能（コピー、プリンタ、スキャナ、ファクシミリ等）、用紙サイズ、濃淡、倍率、スタート／ストップ等の選択肢が表示される。操作画面から入力があると、入力操作に応じた画像処理を行って（Ｓ１０５）、ステップＳ１０１へ戻る。
【００３６】
ステップＳ１０２で色覚型の選択が検出された場合は（Ｓ１０２でＹＥＳ）、「不明」ボタン１１の選択が検出されたか否かが判断される（Ｓ１０７）。「不明」ボタン１１が選択されている場合は（Ｓ１０７でＹＥＳ）、電子ペーパディスプレイ１０に図５（Ｂ）の表示画面Ｂを表示させる（Ｓ１０８）。表示画面Ｂ上で「Ｔ型orＡ型」（図中の項目（３））が選択されたか否かを判断する（Ｓ１０９）。
【００３７】
「Ｔ型orＡ型」（項目（３））が選択されていない場合は（Ｓ１０９でＮＯ）、「Ｐ型」が選択されたか否かを判断し（Ｓ１１５）、選択されていればユーザの色覚を「Ｐ型」と判断し（Ｓ１１６）、Ｐ型色覚に適した色補正を実施する（Ｓ１１８）。ステップＳ１１５でＰ型が選択されていない場合は、ユーザの色覚を「Ｄ型」と判断し（Ｓ１１７）、Ｄ型色覚に適した色補正を実施する（Ｓ１１８）。
【００３８】
他方、ステップＳ１０９で「Ｔ型orＡ型」が選択されている場合は、電子ペーパディスプレイ１０に図５（Ｃ）の表示画面Ｃを表示させる（Ｓ１１０）。表示画面Ｃで「Ｔ型」が選択されたか否かを判断する（Ｓ１１１）。「Ｔ型」が選択されていれば、ユーザの色覚を「Ｔ型」と判断して（Ｓ１１２）、Ｔ型に適した色補正を行う（Ｓ１１８）。表示画面Ｃで「Ｔ型」が選択されていない場合は（Ｓ１１１でＮＯ）、ユーザの色覚を「Ａ型」と判断して（Ｓ１１３）、Ａ型に適した色補正を行う（Ｓ１１８）。その後、待機画面（Ｓ１０１）に戻る。
【００３９】
ステップＳ１０７で「不明」ボタン１１が選択されていない場合は、図８の処理に移行し、Ｐ型、Ｄ型、Ｔ型、Ａ型のいずれが選択されたかを判断する（Ｓ２０１）。「Ｐ型」ボタン１２の選択が検出されたときは、ユーザの色覚を「Ｐ型」と判断し（Ｓ２０２）、Ｐ型に適した色補正を行う（Ｓ１１８）。「Ｄ型」ボタン１３の選択が検出されたときは、ユーザの色覚を「Ｄ型」と判断し（Ｓ２０３）、Ｐ型に適した色補正を行う（Ｓ１１８）。「Ｔ型」ボタン１４の選択が検出されたときは、ユーザの色覚を「Ｔ型」と判断して（Ｓ２０４）、Ｔ型に適した色補正を行う（Ｓ１１８）。「ＡＰ型」ボタン１５の選択が検出されたときは、ユーザの色覚を「Ａ型」と判断し（Ｓ２０５）、Ａ型に適した色補正を行う（Ｓ１１８）。その後、待機画面（Ｓ１０１）に戻る。
【００４０】
図７及び図８の処理は、画像処理装置１が起動されている限り繰り返し実行され、画像処理装置１の電源がＯＦＦにされたときに終了する。
【００４１】
図９は、ステップＳ１１８の色補正の一例を示すフローチャートである。ユーザの色覚が判断されると、画像処理装置１は画像データを取得（または受信）する（Ｓ３０１）。たとえば、図５（Ａ）〜図５（Ｃ）のいずれかの表示画面でユーザの色覚が決定された段階で、電子ペーパディスプレイ１０に操作画面を表示させ、所望の画像形成処理を選択させる。画像処理装置１がユーザの選択に従った画像形成処理を実行し画像データが読み取られたときに、画像データが取得または受信される。
【００４２】
取得または受信された画像データの中にカラーデータが含まれるか否かを判断する（Ｓ３０２）。カラーデータが含まれていない場合は、そのまま処理を終了する。カラーデータが含まれている場合は（Ｓ３０２でＹＥＳ）、カラーデータの中にユーザにとって誤認しやすい色、または色の組み合わせが含まれているか否かを判断する（Ｓ３０３）。誤認しやすい色、あるいは色の組み合わせが含まれていない場合は、処理を終了する。誤認しやすい色、または色の組み合わせが含まれている場合は（Ｓ３０３でＹＥＳ）、たとえば補正テーブルを参照して色覚型に応じた色補正及び／または強調処理を行って、画像を表示または印刷出力する（Ｓ３０４）。
【００４３】
図１０は、画像処理装置１で用いられる補正テーブル２５の一例を示す。補正テーブル２５は、色覚型ごとに、見分けにくい色の組み合わせと、変換後の色の組み合わせを対応付けて記録する。たとえば、Ｐ型色覚が判別され、画像データ中に赤と緑の組み合わせが含まれているときは、黄色と青の組み合わせに変換して電子ペーパディスプレイ１０上に表示または印刷出力する。赤と茶色の組み合わせが含まれている場合は、たとえば、白と青の組み合わせに変換して、表示または印刷出力する。
【００４４】
Ｄ型色覚が判別され、画像データ中に赤と緑の組み合わせが含まれているときは、黄色と青の組み合わせに変換して表示または印刷出力する。緑と茶色の組み合わせが含まれている場合は、たとえば、白と青の組み合わせに変換して表示または印刷出力する。
【００４５】
Ｔ型色覚が判別され、画像データ中に黄色と水色の組み合わせが含まれているときは、黄色と黒の組み合わせに変換して表示または印刷出力する。黒と青の組み合わせが含まれている場合は、たとえば黄緑と濃い緑の組み合わせに変換して表示または印刷出力する。
【００４６】
Ａ型色覚が判別され、画像データ中にオレンジと黄緑の組み合わせが含まれているときは、たとえば黄色と青の組み合わせに変換してユーザにとって濃淡が明確に認識できる状態で表示または印刷出力する。同様に、ピンクと灰色の組み合わせが含まれている場合はたとえば青と白の組み合わせに変換してユーザにとって濃淡の違いが明確になるようにして、表示または印刷出力する。
【００４７】
補正テーブル２５は補正のほんの一例であり、色覚型ごとに、誤認しやすい色と、その色に対する変換後の色または強調処理を対応付けて記録してもよい。たとえば、色文字やカラーマーカーを含むテキストデータの場合は、Ｐ型及びＤ型のユーザのために、赤色を青色に変換する、または太字に強調処理するなどを行ってもよい。Ｔ型ユーザのために、黄色のカラーマーカーをオレンジや緑に変換してもよい。Ａ型ユーザのために、カラー文字を太字強調する処理を行ってもよい。
【００４８】
画像データ中に、チャート、イラスト、写真等が含まれている場合は、区別しにくい色の境界に輪郭線を入れる強調処理を行ってもよい。これらの場合、画像処理装置１のＳｏＣ２０１は、図９のＳ３０２の肯定判断の後に、画像データの種類（テキストかテキスト以外か）を判断してからＳ３０３に移行して、画像データの種類に応じた補正処理を行ってもよい。
【００４９】
あるいは、国際照明委員会（ＣＩＥ：Commission international de l'Eclairage）で決められたＣＩＥｘｙ色度図上のＰ型、Ｄ型、Ｔ型色覚者に対する混同ラインに基づいて、色覚型ごとに入力色値から補正色値へマッピングしてもよい。
【００５０】
色覚型ごとに適切な補正スキームを用意しておくことで、ユーザは電子ペーパディスプレイ１０上で色覚型を選択するだけで、あるいは視認状態を選択するだけで、見やすい表示または出力を得ることができる。
【００５１】
図１１は、画像処理装置１の機能ブロック図である。画像処理装置１は、入力判断部２１と、画像表示制御部２２と、補正テーブル記録部２３と、色覚型判定部２４と、補正部２６と、出力処理部２７を有する。
【００５２】
入力判断部２１は、外部からの入力の有無と種類を判断する。たとえば電子ペーパディスプレイ１０上の各表示画面での接触圧力の変化、座標情報等に基づいて、入力の判断を行う。
【００５３】
画像表示制御部２２は、電子ペーパディスプレイ１０を介した入力に応じて、表示画面を提示、変更、遷移等の制御を行う。補正テーブル記録部２３は、たとえば図１０の補正テーブル２５や、その他の補正テーブル（たとえば、色覚型ごとの強調処理テーブル、色変換テーブルなど）を記録する。
【００５４】
色覚型判定部２４は、入力判断部２１の判定結果からユーザの色覚型を判断する。補正部は、色覚型判定部２４の判定結果から、補正テーブル２５を参照して、色覚型に適した補正処理を行う。補正後の画像データは、画像表示制御部２２によって電子ペーパディスプレイ１０上に表示される。出力処理部２７は、入力判断部２１の判断結果に従って、補正された画像データの出力処理を行う。出力処理には、印字、送信、保存等が含まれる。
【００５５】
このような機能構成により、ユーザは自分の色覚型を選択するだけで、追加の色調整処理を行う必要がない。電子ペーパディスプレイ１０上でプレビューを行う場合に、色覚型に応じて補正された画像データが表示されるので、先天色覚異常のユーザにとっても画像の内容を確認しやすい。さらに、画像データが印字出力されるときは、電子ペーパディスプレイ１０上に表示された色合いとほぼ同じ色合いで印刷されるので、認識どおりの出力を得ることができる。
【００５６】
図１２は、画像処理装置１の全体のハードウェア構成図である。画像処理装置１は、バス１００、ＣＰＵ（Central Processing Unit：演算装置）１０１、ＲＯＭ１０２、ＲＡＭ（Random Access Memory）１０３、不揮発ＲＡＭ１０４、入力インタフェース１０５、センサ１０６、ＨＤ（Hard Disk：ハードディスク）１０７、ＨＤＤ（Hard Disk Drive：ハードディスクドライブ）１０８、ディスプレイ１１２、ＮＣＵ（Network Control Unit：ネットワーク制御ユニット）１１３、ＦＣＵ（Facsimile Control Unit：ファクシミリ制御ユニット）１１４、無線通信インタフェース１１５、出力部１１７を有し、これらがバス１００で相互に接続されている。
【００５７】
ＣＰＵ１０１は、画像処理装置１の全体を制御する。ＣＰＵ１０１は、各種メモリとともに図２のＳｏＣ２０１の中に組み込まれていてもよい。ＲＯＭ１０２は、図２のＲＯＭ２０２に対応し、基本入出力プログラムが記憶されている。ＲＡＭ１０３は、ＣＰＵ１０１のワークエリアとして使用され、図２のＳｏＣ２０１の中にＣＰＵ１０１とともに組み込まれていてもよい。不揮発ＲＡＭ１０４は電源を切ってもデータを保持することが可能であり、たとえば補正テーブル２５を記録する。入力インタフェース１０５は、タッチパネル、キーボード、操作パネルに接続されるマウス等を含む。入力インタフェース１０５への入力操作はセンサ１０６によって検知されＣＰＵ１０１に通知される。
【００５８】
ＨＤＤ１０８はＣＰＵ１０１の制御にしたがって、ＦＤ１０７に対するデータの読み出しと書き込みを行う。ＨＤ１０７は着脱可能な記憶領域であり、ＨＤＤ１０８によって書き込まれたデータを記憶する。たとえば、ファクシミリ受信されたデータを記憶してもよい。
【００５９】
ディスプレイ１１２は、電子ペーパディスプレイ１０に対応する。ディスプレイ１１２には、電子ペーパディスプレイ１０の他に、別途液晶または電子ペーパによるサブディスプレイが含まれていてもよい。出力部１１７はコピー、スキャン、プリント、ファクシミリ等の機能によって入力され、読み取られ、あるいは受信されたデータを印刷出力する。
【００６０】
ＮＣＵ１１３は、通信ケーブル１１８を介してネットワーク１１９と接続され、通信ケーブル１２１を介してＰＣ（パーソナルコンピュータ）などの外部端末１２３と接続される。ＦＣＵ１１４は、公衆回線を介してファクシミリ通信機能を実現する。無線通信インタフェース１１５は、移動端末（図１の電子機器５０等）と画像処理装置１の間の無線通信を実現する。
【００６１】
たとえば、電子機器５０が無線ＬＡＮ搭載の電子ペーパ機器である場合、電子機器５０から画像処理装置１にアクセスして、電子機器５０の電子ペーパディスプレイ上に図５の表示画面Ａ〜Ｃを表示させ、ユーザの色覚型を自動判別することが可能である。ユーザは電子機器５０の電子ペーパディスプレイ上でプレビューすることもできる。色覚型選択の後に送信または出力したい画像データを画像処理装置１に送信することで、遠隔からユーザにとって見やすい状態に補正された印刷物を出力させることができる。
【００６２】
本発明の画像処理技術は、電子ペーパディスプレイと画像処理機能を有するすべての機器に適用可能である。たとえば、電子ペーパディスプレイを用いた医療機器、プロジェクタシステム、テレビ会議システム等に適用可能である。また、カーナビゲーションのような車載機器にも適用可能である。医療の現場で先天色覚異常の受診者に画像を見せながら症状を説明する場合、テレビ会議システムでカラー資料を提示しながら発表や検討をする場合、ナビゲーション画面でランドマークや経路をカラー表示する場合などに、実施形態の構成と手法は有用である。したがって、この明細書と特許請求の範囲で「画像処理装置」という場合は、これらの機器を含むものとする。
【００６３】
いずれの機器に適用する場合も、先天色覚異常のユーザの操作負担の軽減と見やすい表示または出力という効果が得られる。
【００６４】
実施形態の画像処理方法を画像処理装置１で実行する場合は、たとえば画像処理プログラムをＲＯＭ１０２（または図２のＲＯＭ２０２）に格納し、ＣＰＵ１０１で適宜実行してもよい。その場合、画像処理プログラムは、ＣＰＵ１０１に、
（ａ）色覚型の選択肢を提示する待機画面Ａを電子ペーパディスプレイ１０上に表示させる手順、
（ｂ）色覚型の選択結果に基づいて電子ペーパディスプレイ１０上の表示を制御する手順、及び
（ｃ）色覚型の選択結果に基づいて画像データを補正させる手順と、
を実行させる。
【００６５】
このような制御手順により、先天色覚異常のユーザが視覚的な負担なく、容易に見やすい表示を得ることができる。
【符号の説明】
【００６６】
１  画像処理装置
５  操作パネル
１０  電子ペーパディスプレイ
１１  不明ボタン
１２〜１５  色覚型ボタン
２１  入力判断部
２２  画面表示制御部
２３  補正テーブル記録部
２４  色覚判定部２４
２５  補正テーブル
２７  出力処理部
５０  電子機器
６０、１１９  ネットワーク
１２３  外部端末
【先行技術文献】
【特許文献】
【００６７】
【特許文献１】特開２０１４−９９７２６号公報
【図１】
2017167291.tif 000003
【図２】
2017167291.tif 000004
【図３】
2017167291.tif 000005
【図４】
2017167291.tif 000006
【図５】
2017167291.tif 000007
【図６】
2017167291.tif 000008
【図７】
2017167291.tif 000009
【図８】
2017167291.tif 000010
【図９】
2017167291.tif 000011
【図１０】
2017167291.tif 000012
【図１１】
2017167291.tif 000013
【図１２】
2017167291.tif 000014